(57)【要約】【課題】光ディスクがＢＤ−ＲＯＭであるのか、それともＢＤ−ＲまたはＢＤ−ＲＥであるのかを判別することが可能となる光ディスク装置を提供する。【解決手段】光ディスクが回転しフォーカス制御がされた状態で、ＢＤ−ＲＯＭとＢＤ−ＲとＢＤ−ＲＥとが有するＢＣＡ（Ｂｕｒｓｔ  Ｃｕｔｔｉｎｇ  Ａｒｅａ）に含まれる半径位置まで光ピックアップ２が移動し、マイコン１１はトラッククロス信号生成部１０が出力するトラッククロス信号の１周期の時間を順次測定し、該測定結果に基づき光ディスクがＢＤ−ＲＯＭであるか、ＢＤ−ＲまたはＢＤ−ＲＥであるかを判別する。【選択図】図１
2008130124.tif 000002
【特許請求の範囲】
【請求項１】
光ディスクを回転させる回転手段と、該光ディスクに光ビームを照射し読取り信号を出力する光ピックアップと、該読取り信号に基づきトラッキングエラー信号を生成するトラッキングエラー信号生成手段と、該トラッキングエラー信号に基づきトラッククロス信号を生成するトラッククロス信号生成手段と、前記読取り信号に基づきフォーカスエラー信号を生成するフォーカスエラー信号生成手段と、該フォーカスエラー信号に基づきフォーカス制御を行うフォーカス制御手段と、を備えた光ディスク装置において、
前記回転手段が前記光ディスクを回転させ前記フォーカス制御手段がフォーカス制御を行った状態で、ＢＤ−ＲＯＭとＢＤ−ＲとＢＤ−ＲＥとでトラックピッチが同一である領域に含まれる半径位置まで前記光ピックアップを移動させ、前記トラッククロス信号生成手段が生成するトラッククロス信号の１周期の時間を順次測定し、該測定されたトラッククロス信号の１周期の時間の平均値である第一の平均値を算出する第一の算出手段と、
前記回転手段が前記光ディスクを回転させ前記フォーカス制御手段がフォーカス制御を行った状態で、ＢＤ−ＲＯＭとＢＤ−ＲとＢＤ−ＲＥとが有するＢＣＡ（Ｂｕｒｓｔ  Ｃｕｔｔｉｎｇ  Ａｒｅａ）に含まれる半径位置まで前記光ピックアップを移動させ、前記トラッククロス信号生成手段が生成するトラッククロス信号の１周期の時間を順次測定し、該測定されたトラッククロス信号の１周期の時間の平均値である第二の平均値を算出する第二の算出手段と、
前記第一の平均値と前記第二の平均値との比の値に基づき前記光ディスクがＢＤ−ＲＯＭであるか、ＢＤ−ＲまたはＢＤ−ＲＥであるかを判別する判別手段と、を備えることを特徴とする光ディスク装置。
【請求項２】
光ディスクを回転させる回転手段と、該光ディスクに光ビームを照射し読取り信号を出力する光ピックアップと、該読取り信号に基づきトラッキングエラー信号を生成するトラッキングエラー信号生成手段と、該トラッキングエラー信号に基づきトラッククロス信号を生成するトラッククロス信号生成手段と、前記読取り信号に基づきフォーカスエラー信号を生成するフォーカスエラー信号生成手段と、該フォーカスエラー信号に基づきフォーカス制御を行うフォーカス制御手段と、を備えた光ディスク装置において、
前記回転手段が前記光ディスクを回転させ前記フォーカス制御手段がフォーカス制御を行った状態で、ＢＤ−ＲＯＭとＢＤ−ＲとＢＤ−ＲＥとが有するＢＣＡ（Ｂｕｒｓｔ  Ｃｕｔｔｉｎｇ  Ａｒｅａ）に含まれる半径位置まで前記光ピックアップを移動させ、前記トラッククロス信号生成手段が生成するトラッククロス信号の１周期の時間を少なくとも一回測定し、該測定結果に基づき前記光ディスクがＢＤ−ＲＯＭであるか、ＢＤ−ＲまたはＢＤ−ＲＥであるかを判別する手段を備えることを特徴とする光ディスク装置。
【発明の詳細な説明】
【技術分野】
【０００１】
本発明は、光ディスク装置に関する。
【背景技術】
【０００２】
従来から、光ディスクの種類を判別する光ディスク装置が様々に開発されている。例えば、特許文献１には、フォーカス制御をオン、トラッキング制御をオフとした状態で光ピックアップが走査して光ディスクの信号を読み取り、読み取られた信号に基づきＲＦアンプがトラッククロス信号およびミラー信号を生成し、第１のエッジカウンタがトラッククロス信号の本数をカウントし、第２のエッジカウンタがミラー信号の本数をカウントし、ＣＰＵがトラッククロス信号の本数とミラー信号の本数との比率に基づきＣＤかＤＶＤかを判別するようなものが開示されている。
【特許文献１】特許第３７８８５０４号公報
【発明の開示】
【発明が解決しようとする課題】
【０００３】
ところで昨今、ＤＶＤよりも大容量な光ディスクであるＢｌｕ−ｒａｙ  Ｄｉｓｃが登場している。Ｂｌｕ−ｒａｙ  ＤｉｓｃにはＢＤ−ＲＯＭ、ＢＤ−Ｒ、ＢＤ−ＲＥの３種類があり、これらに一台で対応する光ディスク装置では、最適な制御パラメータ設定のために光ディスクがＢＤ−ＲＯＭであるのか、それともＢＤ−ＲまたはＢＤ−ＲＥであるのかを判別する機能が要求されるが、上記特許文献１の技術ではその判別は不可能である。
【０００４】
上記問題点を鑑み、本発明は、光ディスクがＢＤ−ＲＯＭであるのか、それともＢＤ−ＲまたはＢＤ−ＲＥであるのかを判別することが可能となる光ディスク装置を提供することを目的とする。
【課題を解決するための手段】
【０００５】
上記目的を達成するために本発明の光ディスク装置は、光ディスクを回転させる回転手段と、該光ディスクに光ビームを照射し読取り信号を出力する光ピックアップと、該読取り信号に基づきトラッキングエラー信号を生成するトラッキングエラー信号生成手段と、該トラッキングエラー信号に基づきトラッククロス信号を生成するトラッククロス信号生成手段と、前記読取り信号に基づきフォーカスエラー信号を生成するフォーカスエラー信号生成手段と、該フォーカスエラー信号に基づきフォーカス制御を行うフォーカス制御手段と、を備えた光ディスク装置において、
前記回転手段が前記光ディスクを回転させ前記フォーカス制御手段がフォーカス制御を行った状態で、ＢＤ−ＲＯＭとＢＤ−ＲとＢＤ−ＲＥとが有するＢＣＡ（Ｂｕｒｓｔ  Ｃｕｔｔｉｎｇ  Ａｒｅａ）に含まれる半径位置まで前記光ピックアップを移動させ、前記トラッククロス信号生成手段が生成するトラッククロス信号の１周期の時間を少なくとも一回測定し、該測定結果に基づき前記光ディスクがＢＤ−ＲＯＭであるか、ＢＤ−ＲまたはＢＤ−ＲＥであるかを判別する手段を備えることを特徴としている。
【０００６】
このような構成によれば、ＢＣＡにおけるトラックピッチがＢＤ−ＲＯＭとＢＤ−Ｒ、ＢＤ−ＲＥとで異なることを利用して、光ディスクがＢＤ−ＲＯＭであるのか、それともＢＤ−ＲまたはＢＤ−ＲＥであるのかを判別することができる。
【０００７】
また、本発明の光ディスク装置は、光ディスクを回転させる回転手段と、該光ディスクに光ビームを照射し読取り信号を出力する光ピックアップと、該読取り信号に基づきトラッキングエラー信号を生成するトラッキングエラー信号生成手段と、該トラッキングエラー信号に基づきトラッククロス信号を生成するトラッククロス信号生成手段と、前記読取り信号に基づきフォーカスエラー信号を生成するフォーカスエラー信号生成手段と、該フォーカスエラー信号に基づきフォーカス制御を行うフォーカス制御手段と、を備えた光ディスク装置において、
前記回転手段が前記光ディスクを回転させ前記フォーカス制御手段がフォーカス制御を行った状態で、ＢＤ−ＲＯＭとＢＤ−ＲとＢＤ−ＲＥとでトラックピッチが同一である領域に含まれる半径位置まで前記光ピックアップを移動させ、前記トラッククロス信号生成手段が生成するトラッククロス信号の１周期の時間を順次測定し、該測定されたトラッククロス信号の１周期の時間の平均値である第一の平均値を算出する第一の算出手段と、
前記回転手段が前記光ディスクを回転させ前記フォーカス制御手段がフォーカス制御を行った状態で、ＢＤ−ＲＯＭとＢＤ−ＲとＢＤ−ＲＥとが有するＢＣＡ（Ｂｕｒｓｔ  Ｃｕｔｔｉｎｇ  Ａｒｅａ）に含まれる半径位置まで前記光ピックアップを移動させ、前記トラッククロス信号生成手段が生成するトラッククロス信号の１周期の時間を順次測定し、該測定されたトラッククロス信号の１周期の時間の平均値である第二の平均値を算出する第二の算出手段と、
前記第一の平均値と前記第二の平均値との比の値に基づき前記光ディスクがＢＤ−ＲＯＭであるか、ＢＤ−ＲまたはＢＤ−ＲＥであるかを判別する判別手段と、を備えることを特徴としている。
【０００８】
このような構成によれば、光ディスクの偏心の影響を軽減することができ、偏心による光ディスクの誤判別を防ぐことができる。
【発明の効果】
【０００９】
本発明の光ディスク装置によれば、光ディスクがＢＤ−ＲＯＭであるのか、それともＢＤ−ＲまたはＢＤ−ＲＥであるのかを判別することが可能となる。
【発明を実施するための最良の形態】
【００１０】
以下、本発明の実施形態について図面を参照し説明する。
【００１１】
図１に、本発明に係る光ディスク装置の概略構成図を示す。本発明に係る光ディスク装置は、スピンドルモータ１と、光ピックアップ２と、スレッドモータ３と、モータドライバ４と、ＲＦアンプ５と、ＬＤドライバ６と、フォーカス制御部７と、トラッキング制御部８と、バンドパスフィルタ９と、トラッククロス信号生成部１０と、マイコン１１とを備える。
【００１２】
スピンドルモータ１は、光ディスクを回転させるモータであり、ＦＧパルス信号をマイコン１１へ出力する。光ピックアップ２は、光ディスクにレーザビームを照射し読取り信号をＲＦアンプ５へ出力する。ＲＦアンプ５は、読取り信号に基づきフォーカスエラー信号やトラッキングエラー信号を生成し、フォーカスエラー信号をフォーカス制御部７に出力し、トラッキングエラー信号をトラッキング制御部８やバンドパスフィルタ９に出力する。
【００１３】
フォーカス制御部７は、フォーカスエラー信号に基づきフォーカス駆動信号を生成しフォーカス駆動信号を光ピックアップ２が有するアクチュエータ（不図示）に出力する。そして、光ピックアップ２が有する対物レンズ（不図示）がフォーカス方向に駆動される。また、トラッキング制御部８は、トラッキングエラー信号に基づきトラッキング駆動信号を生成しトラッキング駆動信号を光ピックアップ２が有するアクチュエータ（不図示）に出力する。そして、光ピックアップ２が有する対物レンズ（不図示）がトラッキング方向に駆動される。
【００１４】
ＬＤドライバ６は、光ピックアップ２が有するレーザダイオード（不図示）に駆動信号を出力し、レーザダイオードはレーザビームを射出する。モータドライバ４は、スレッドモータ３に駆動信号を出力し、スレッドモータ３が駆動されることにより光ピックアップ２がディスク半径方向に駆動される。
【００１５】
バンドパスフィルタ９は、ＲＦアンプ５が出力したトラッキングエラー信号からノイズを除去し、ノイズが除去されたトラッキングエラー信号をトラッククロス信号生成部１０へ出力する。トラッククロス信号生成部１０は、図２のように、ノイズが除去されたトラッキングエラー信号をゼロレベルと比較し、トラッキングエラー信号がゼロレベルを上回る場合にＨｉｇｈレベルを、トラッキングエラー信号がゼロレベルを下回る場合にＬｏｗレベルをマイコン１１に出力する。このようなＨｉｇｈレベルおよびＬｏｗレベルからなる信号がトラッククロス信号である。
【００１６】
ここで、図３を参照し、ＢＤ−ＲＯＭ、ＢＤ−Ｒ、ＢＤ−ＲＥの構造について説明する。
【００１７】
ＢＤ−ＲＯＭは、内周側よりセンターホール、インナー領域、クランプ領域、情報領域といった領域を有している。情報領域はさらに内周側よりＢＣＡ（Ｂｕｒｓｔ  Ｃｕｔｔｉｎｇ  Ａｒｅａ）（半径２１．３〜２２．２ｍｍ）、リードイン領域（半径２２．２〜２４ｍｍ）、ユーザデータ領域（半径２４〜５８．１ｍｍ）、リードアウト領域（半径５８．１〜５８．５ｍｍ）に分かれる。トラックピッチは、ＢＣＡおよびリードイン領域の内周側の一部で０．３５０μｍ、リードイン領域の外周側の一部、ユーザデータ領域およびリードアウト領域で０．３２０μｍとなっている。
【００１８】
また、ＢＤ−ＲおよびＢＤ−ＲＥは、上記ＢＤ−ＲＯＭと領域構成は同様であるが、トラックピッチの違いを有する。ＢＤ−ＲおよびＢＤ−ＲＥにおけるトラックピッチは、ＢＣＡで２．０μｍ、リードイン領域の内周側の一部で０．３５０μｍ、リードイン領域の外周側の一部、ユーザデータ領域およびリードアウト領域で０．３２０μｍとなっている。このように、ＢＤ−ＲＯＭとＢＤ−Ｒ、ＢＤ−ＲＥとでＢＣＡにおけるトラックピッチが異なり、本発明に係るディスク判別はこのことを利用している。
【００１９】
次に、本発明に係る光ディスク装置のディスク判別動作について図４のフローチャートに沿って説明する。
【００２０】
まず、ステップＳ１０で、マイコン１１がスピンドルモータ１に駆動信号を出力しスピンドルモータ１１が駆動され、光ディスクが回転を開始する。また、マイコン１１からの駆動信号に基づきＬＤドライバ６が駆動信号を光ピックアップ２が有するレーザダイオードに出力し、光ピックアップ２から光ディスクにレーザビームが照射される。そして、フォーカス制御部７がフォーカス制御をオンとし、フォーカス制御が開始される。
【００２１】
そして、ステップＳ２０で、マイコン１１からの駆動信号に基づきモータドライバ４が駆動信号をスレッドモータ３に出力しスレッドモータ３が駆動され、ＢＤ−ＲＯＭとＢＤ−ＲとＢＤ−ＲＥとでトラックピッチが同一である領域に含まれる半径位置まで光ピックアップ２が移動する。例えば、ＢＤ−ＲＯＭとＢＤ−ＲとＢＤ−ＲＥとでトラックピッチが０．３２０μｍで同一である領域に含まれる半径２４ｍｍの位置まで光ピックアップ２を移動させればよい（図３参照）。
【００２２】
そして、ステップＳ３０で、マイコン１１は、スピンドルモータ１が出力するＦＧパルス信号に基づき光ディスクが半周分回転したと判断するまで、トラッククロス信号生成部１０が出力するトラッククロス信号の１周期の時間を順次測定する。なお、半周分の回転ではなく１周分の回転としてもよい。
【００２３】
そして、ステップＳ４０で、マイコン１１は、ステップＳ３０で測定されたトラッククロス信号の１周期の時間の平均値ＴＰ１を算出する。
【００２４】
次に、ステップＳ５０で、マイコン１１からの駆動信号に基づきモータドライバ４が駆動信号をスレッドモータ３に出力しスレッドモータ３が駆動され、ＢＣＡに含まれる半径位置（例えば、半径２１．５ｍｍの位置）まで光ピックアップ２が移動する（図３参照）。
【００２５】
そして、ステップＳ６０で、マイコン１１は、スピンドルモータ１が出力するＦＧパルス信号に基づき光ディスクが半周分回転したと判断するまで、トラッククロス信号生成部１０が出力するトラッククロス信号の１周期の時間を順次測定する。なお、半周分の回転ではなく１周分の回転としてもよい。
【００２６】
そして、ステップＳ７０で、マイコン１１は、ステップＳ６０で測定されたトラッククロス信号の１周期の時間の平均値ＴＰ２を算出する。
【００２７】
そして、ステップＳ８０で、マイコン１１は、上記で算出されたトラッククロス信号の１周期の時間の各平均値ＴＰ１、ＴＰ２の比であるＴＰ２／ＴＰ１を算出し、算出された比の値がＢＤ−ＲＯＭに対応する所定のしきい値範囲内であるか、ＢＤ−ＲおよびＢＤ−ＲＥに対応する所定のしきい値範囲内であるかを判定する。そして、ＢＤ−ＲＯＭに対応するしきい値範囲内であると判定された場合は、マイコン１１は光ディスクがＢＤ−ＲＯＭであると認識し、ＢＤ−ＲおよびＢＤ−ＲＥに対応するしきい値範囲内であると判定された場合は、マイコン１１は光ディスクがＢＤ−ＲまたはＢＤ−ＲＥであると認識する。
【００２８】
このように本発明では、ＢＤ−ＲＯＭとＢＤ−Ｒ、ＢＤ−ＲＥとでＢＣＡにおけるトラックピッチが異なることを利用して、光ディスクがＢＤ−ＲＯＭであるか、ＢＤ−ＲまたはＢＤ−ＲＥであるかを判別することができる。また、トラッククロス信号の１周期の時間の各平均値ＴＰ１、ＴＰ２の比を用いて判別することで、光ディスクの偏心の影響を軽減することができ、偏心による誤判別を防ぐことができる。
【図面の簡単な説明】
【００２９】
【図１】は、本発明に係る光ディスク装置の概略構成図である。
【図２】は、トラッキングエラー信号とトラッククロス信号の波形図である。
【図３】は、ＢＤ−ＲＯＭとＢＤ−Ｒ、ＢＤ−ＲＥの構造を示す図である。
【図４】は、本発明に係るディスク判別動作の手順を示すフローチャートである。
【符号の説明】
【００３０】
１    スピンドルモータ
２    光ピックアップ
３    スレッドモータ
４    モータドライバ
５    ＲＦアンプ
６    ＬＤドライバ
７    フォーカス制御部
８    トラッキング制御部
９    バンドパスフィルタ
１０    トラッククロス信号生成部
１１    マイコン
【図１】
2008130124.tif 000003
【図２】
2008130124.tif 000004
【図３】
2008130124.tif 000005
【図４】
2008130124.tif 000006